(57)【特許請求の範囲】
【請求項１】
床面に複数のポールを互いに離間させて立設し、隣接するポール間を上下に離間する横フレームで連結し、該両横フレーム間に閉塞部材を取付ける方法であって、前記上下横フレームをポールに連結固定した後、該両横フレームの長手方向に沿って設けられた係止条に、前記閉塞部材の上下端縁に有する被係止部を、該閉塞部材の閉塞面に垂直な方向から押圧嵌合することにより該閉塞部材を前記横フレームに支持し、その後、前記横フレームにおける前記係止条とは別箇所に形成された受容部にカバー部材を係止して、該カバー部材により、前記係止条と前記被係止部とを覆うとともに、前記係止条への前記被係止部の嵌合が外れないよう保持したことを特徴とする閉塞部材取付方法。
【請求項２】
床面に立設した隣接するポール間に、上下に離間する横フレームを連結して該両横フレーム間に閉塞部材を取付ける閉塞部材の取付装置であって、前記両横フレームは、その長手方向に沿って設けられた係止条と、該係止条とは別箇所に形成された受容部と、を有し、前記閉塞部材の上下端縁には、該係止条と嵌合可能な被係止部を有しており、前記係止条と前記被係止部とを覆うとともに、前記係止条への前記被係止部の嵌合が外れないよう保持するカバー部材を、前記受容部に係止したことを特徴とする閉塞部材取付装置。
【請求項３】
前記係止条が凸状であれば前記被係止部は凹状であり、前記係止条が凹状であれば前記被係止部は凸状である請求項２に記載の閉塞部材の取付装置。
【請求項４】
前記閉塞部材は閉塞面が布材で、被係止部が合成樹脂で構成されている請求項２または３に記載の閉塞部材の取付装置。
【請求項５】
前記布材の両端が断面リング状に形成され、該リング状内に前記被係止部が挿入されている請求項４に記載の閉塞部材の取付装置。
【請求項６】
前記横フレームを円弧状に形成した請求項２ないし５の何れかに記載の閉塞部材の取付装置。
【発明の詳細な説明】
【０００１】
【発明の属する技術分野】
本発明は、床面に複数のポールを互いに離間させて立設し、隣接するポール間を上下に離間する横フレームで連結し、該両横フレーム間に閉塞部材を取付ける方法、及び床面に立設した隣接するポール間に、上下に離間する横フレームを連結した閉塞部材支持体に閉塞部材を取付ける閉塞部材の取付装置に関する。
【０００２】
【従来の技術】
ポール間に閉塞部材を取付ける方法として、従来、上下の横フレームに閉塞部材を取り付けておき、両横フレームを一方のポールに取り付けた後、他方のポールに横フレームを取付けるようにしたものが知られているが、閉塞部材を交換するには両ポールから横フレームの係合を解いて外さなければならず、作業に時間と労力を要するものであった。このような事態を回避するために、一方のポールに上下の横フレームを取付、閉塞部材を横フレームの長手方向に沿って挿入した後、他方のポールと横フレームとを取付けるようにしたものがある。しかしながらこの取付方法も、閉塞部材の交換に際しては、一方のポールだけは横フレームから取りはずさなければならず、やはり交換作業に手間取るものであった。
【０００３】
そこで、隣り合うポールとその隣接するポール間を上下に離間する横フレームで連結しその後で閉塞部材を取付けるようにしたものが、近年、用いられるようになっている。
【０００４】
図６はフレームを構築した後で閉塞部材を取付けるようにした従来の工程説明図で、図６（ａ）は端部に芯材０１が取り付けられた布状の閉塞部材０２と、芯材０１を受容する樹脂等で形成された保持具０３と、一方のフレーム０４が分解状態で並べたものを示している。図６（ｂ）は芯材０１を保持具０３の係合開始状態を示したもので、保持具０３の抜け止め片０３ａが芯材０１を挟み込んでいる。
【０００５】
この状態から更に芯材０１を保持具０３側に押し込むと、図６（ｃ）に示すように、芯材０１は保持具０３内に完全に係留される。このようにして芯材０１を係留した保持具０３を更に図６（ｄ）に示すように、一方のフレーム０４内に形成した断面コ字状の内側部材０４ａに向かって押し込むと、やがて図６（ｅ）に示すように、保持具０３の爪部に形成した溝部０３ｂがフレーム０４のスリット端０４ｂと係合する。このようにして閉塞部材０２はフレーム０４に保持される。図示していないが閉塞部材０２の他方端も同様にして他方のポールに保持される。
【０００６】
【発明が解決しようとする課題】
しかしながら、図６に示した閉塞部材の取付は、保持具０３やフレーム０４の構造が複雑であるばかりでなく、閉塞部材０２をフレーム０４に向かって押し込むタイプであるから、他方のフレームに取付ける際は、閉塞部材０２は布状のような撓めるものでないと取り付けることはできなかった。しかも閉塞部材０２の交換に際してはフレーム０４から保持具０３を取り外せても、保持具０３から閉塞部材０２は取り外すことはできず、保持具ごと交換しなければならなかった。
【０００７】
本発明は、このような状況に鑑みてなされたもので、フレームをポールに連結固定した後であっても、閉塞部材が容易にフレームに取り付けることができると共に、閉塞部材の交換も部品を無駄にすることなく容易に行えるポール間への閉塞部材取付方法、および取付のための部品構成を簡素化して確実に取り付けることができる取付装置を提供することを目的とする。
【０００８】
【課題を解決するための手段】
上記課題を解決するために、本発明の閉塞部材取付方法は、床面に複数のポールを互いに離間させて立設し、隣接するポール間を上下に離間する横フレームで連結し、該両横フレーム間に閉塞部材を取付ける方法であって、前記上下横フレームをポールに連結固定した後、該両横フレームの長手方向に沿って設けられた係止条に、前記閉塞部材の上下端縁に有する被係止部を、該閉塞部材の閉塞面に垂直な方向から押圧嵌合することにより該閉塞部材を前記横フレームに支持し、その後、前記横フレームにおける前記係止条とは別箇所に形成された受容部にカバー部材を係止して、該カバー部材により、前記係止条と前記被係止部とを覆うとともに、前記係止条への前記被係止部の嵌合が外れないよう保持したことを特徴としている。
この特徴によれば、上下横フレームをポールに連結固定した後であっても、横フレームの係止条に閉塞部材の被係止部を押圧嵌合するだけで閉塞部材を支持することができ、閉塞部材の取り外しに際しても押圧方向と逆方向に引っ張るだけで外すことができるので、閉塞部材の取付交換作業が楽である。また、カバー部材により係止条と被係止部が覆われているので、これら係止条と被係止部に直接身体が触れる恐れがなく安全であるばかりでなく、閉鎖部材端部に埃等が貯まるのが防げる。更にカバー部材が横フレームの受容部に係止しているから、係止条と被係止部の嵌合はカバー部材により外れないよう保持される。
【００１０】
本発明の閉塞部材の取付装置は、床面に立設した隣接するポール間に、上下に離間する横フレームを連結して該両横フレーム間に閉塞部材を取付ける閉塞部材の取付装置であって、前記両横フレームは、その長手方向に沿って設けられた係止条と、該係止条とは別箇所に形成された受容部と、を有し、前記閉塞部材の上下端縁には、該係止条と嵌合可能な被係止部を有しており、前記係止条と前記被係止部とを覆うとともに、前記係止条への前記被係止部の嵌合が外れないよう保持するカバー部材を、前記受容部に係止したことを特徴としている。
この特徴によれば、横フレーム側の係止条と閉塞部材側の被係止部だけで確実に閉塞部材をポール間に取り付けることができる。また、カバー部材により係止条と被係止部が覆われているので、これら係止部材と被係止部に直接身体が触れる恐れがなく安全であるばかりでなく、閉鎖部材端部に埃等が貯まるのが防げる。更にカバー部材が横フレームの受容部に係止しているから、係止条と被係止部の嵌合はカバー部材により外れないよう保持される。
【００１１】
本発明の閉塞部材の取付装置は、前記係止条が凸状であれば前記被係止部は凹状であり、前記係止条が凹状であれば前記被係止部は凸状であることが好ましい。
このようにすれば、嵌合できればどちらが凸状でも凹状でも構わないので、設計段階における形状の選択の幅が広がる。
【００１２】
本発明の閉塞部材の取付装置は、前記閉塞部材が閉塞面が布材で、被係止部が合成樹脂で構成されていることが好ましい。
このようにすれば、閉塞面を布材で構成することで、軽くてカラフルな布が閉塞部材として使用可能であり、しかも合成樹脂でできている被係止部の弾力性を利用して係止条との係合を強固にすることが可能である。
【００１３】
本発明の閉塞部材の取付装置は、前記布材の両端が断面リング状に形成され、該リング状内に前記被係止部が挿入されていることが好ましい。
このようにすれば、布材と被係止部が別部材で構成されているから、分解取付が楽であり、布材だけの交換も可能である。
【００１５】
本発明の閉塞部材の取付装置は、前記横フレームを曲線状にして、閉塞部材を曲面に形成することが好ましい。
このようにすれば、直線的に配置できないような個所でも対応可能な変化に富んだ閉鎖仕切体と成り得る。
【００１６】
【発明の実施の形態】
以下、本発明の実施例を図面に基づいて説明すると、まず図１は本発明の取付方法によりポール間に閉塞部材が取り付けられた閉鎖仕切体の斜視図であり、図２はポールと横フレームの分解斜視図であり、図３はポールと横フレームを連結固定した状態の断面図である。
【００１７】
図１において、２つのポール１，１は床２に設置されたベース体３に自立しており、ポール１に取り付けた上下の横フレーム（図２の符号６で示す）が閉塞部材４を支持し、カバー部材５が横フレームを覆っている。閉塞部材４は横フレームがポール１，１に連結固定された後に取り付けられる。
【００１８】
ポール１に横フレーム６を連結する方法を図２、図３に基づいて説明すると、ポール１には円周に外側部が若干拡がった略Ｕ字状の複数個の溝部１ａが上下方向に延びており、各溝部１ａの外方を向く開口１ｂの左右両側に、遊端が互いに向き合って離間する左右の係止片１ｃにより溝部１ａの一部が覆われている。
【００１９】
７は溝部１ａの一つと上下方向に摺動係合できるクランプ材であり、中央部にねじ８と螺合可能な雌ねじ部７ａが刻設されている。横フレーム６の端部６ａとクランプ材７の間に止着部材９が配置され、この止着部材９の横フレーム６側には円筒状突起部９ａが、横フレーム６の端部６ａに形成した突起受容部６ｂに嵌入係合できるように突出している。
【００２０】
横フレーム６をポール１に連結するには、先ず止着部９の円筒状突起部９ａを横フレーム６の端部６ａに形成した突起受容部６ｂに嵌入係合させ、ねじ８を突起受容部６ｂ側から挿入し、クランプ材７の雌ねじ部７ａに少しだけ螺合させておく。その後、クランプ材７と一体になった横フレーム６を上方からクランプ材７が溝部１ａと摺動係合するように下方に降ろす。横フレーム６の取付位置まで降下させた後、ねじ８でクランプ材７を締め上げる。
【００２１】
ねじ８が締め上げられることにより、図３に示すように、クランプ材７が止着部材９側に、止着部材９がねじ頭部８ａによりクランプ材７側に押圧され、クランプ材７と止着部材９は溝部１ａの左右の係止片１ｃを挟持することになる。このようにして横フレーム６はポール１に連結固定される。横フレーム６のポール１に対する向きは、突起受容部６ｂが正面に向く必要はなく、裏面側を向いていても構わない。この場合、閉塞部材４は裏面側から取り付けられる。このようにして、ポール１と横フレーム６から成る閉塞部材支持体が得られる。
【００２２】
次に、閉塞部材４の取付方法について図４，５に基づき説明する。図４は横フレームに閉塞部材４を取付ける前の状態を示した説明図であり、図５は横フレームに閉塞部材４を取付けた後の状態を示した説明図である。そして、準備段階として、先ず、閉塞部材４を取付ける前に、前記したように２本の上下横フレーム６を閉塞部材４の取付位置に合わせて左右のポールの上下２カ所に固定して枠組みして、閉塞部材支持体を構築しておく。
【００２３】
図４に示すように閉塞部材４は布材で構成され、上下両端は被係止部となるクロスクリップ１０が挿入できるように断面リング状の袋とじ４ａに形成されている。このクロスクリップ１０は断面コ字状で樹脂で成形されており、横フレーム６に一体形成されている長手方向に延びた係止条６ｃと嵌合する弾性変形可能な指部１０ａが形成されている。
【００２４】
閉塞部材４の取付手順は、最初、閉塞部材４の両端部の袋とじ４ａにクロスクリップ１０をそれぞれ挿入し、次に、閉塞部材４の閉塞面に垂直な図４の矢印Ｘに示す方向に閉塞部材４の両端部を係止条６ｃに向けて押圧すると、クロスクリップ１０の弾性変形可能な指部１０ａが外方に拡径した後、図５に示すように、係止条６ｃの頭部を抱持する。これにより閉塞部材４は２本の横フレーム６，６に取り付けられる。
【００２５】
上下の横フレーム６に閉塞部材４を取り付けた後、カバー部材５を横フレーム６に対して矢印Ｙ方向に押圧することで、図５に示すように係止条６ｃと閉塞部材４の端部が覆われるようにしてカバー部材５が横フレーム６に取り付けられる。このとき、カバー部材５に形成した２本の係止爪５ａが横フレーム６の突起受容部６ｂの端部溝６ｂ’と係止する。このようにカバー部材５を設けることで、係止条６ｃからクロスクリップ１０が脱落するのが防げる。
【００２６】
閉塞部材４を交換あるいは分解する場合には、取付手順と逆に、カバー部材５を逆Ｙ方向に引っ張り係止爪５ａを端部溝６ｂ’から係止爪５ａの可撓性を利用して外し、その後、クロスクリップ１０を逆Ｘ方向に引っ張って係止条６ｃから外せばよい。このように横フレーム６は一切分解せずに閉塞部材４の装脱ができる。
【００２７】
また、本発明の閉塞部材の取付装置は、横フレーム６側の係止条６ｃと閉塞部材４側の被係止部１０の２部品構成で確実に閉塞部材４を両横フレーム６に取り付けることができる。また、カバー部材５により係止条６ｃと被係止部１０が外部に露出せずに覆われているので、直接身体に触れるような恐れがなく安全であるばかりでなく、横フレーム６のところに埃等が貯まるのが防げる。
【００２８】
本実施例において係止条６ｃが凸状で、被係合部１０が凹状に形成されたものを用いているが、これとは逆に、係止条６ｃが凹状で、被係合部１０が凸状に形成されたものを用いてもよい。また、横フレームは直線状に形成されているもので説明したが、これに限ることなく例えば、横フレームを曲線状（円弧状も含む）に形成したものであってもよい。構成としては係止条、被係止部を横フレームに合わせて曲線状に形成すればよく、取付方法は先に述べた取付方法と同様な手法で取付ける。これにより、直線的に配置できないような個所でも対応可能な閉鎖仕切体として提供できる。更に、本実施例においては、２つのポールに閉塞部材を取付ける例しか示さなかったが、複数のポールを並べ連続的あるいは間欠的に閉塞部材を取付けるようにしてもよい。
【００２９】
【発明の効果】
本発明は以下の効果を奏する。
【００３０】
（ａ）請求項１項の発明によれば、
上下横フレームをポールに連結固定した後であっても、横フレームの係止条に閉塞部材の被係止部を押圧嵌合するだけで閉塞部材を支持することができ、閉塞部材の取り外しに際しても押圧方向と逆方向に引っ張るだけで外すことができるので、閉塞部材の取付交換作業が楽である。また、カバー部材により係止条と被係止部が覆われているので、これら係止条と被係止部に直接身体が触れる恐れがなく安全であるばかりでなく、閉鎖部材端部に埃等が貯まるのが防げる。更にカバー部材が横フレームの受容部に係止しているから、係止条と被係止部の嵌合はカバー部材により外れないよう保持される。
【００３２】
（ｂ）請求項２項の発明によれば、横フレーム側の係止条と閉塞部材側の被係止部だけで確実に閉塞部材をポール間に取り付けることができる。また、カバー部材により係止条と被係止部が覆われているので、これら係止部材と被係止部に直接身体が触れる恐れがなく安全であるばかりでなく、閉鎖部材端部に埃等が貯まるのが防げる。更にカバー部材が横フレームの受容部に係止しているから、係止条と被係止部の嵌合はカバー部材により外れないよう保持される。
【００３３】
（ｃ）請求項３項の発明によれば、嵌合できればどちらが凸状でも凹状でも構わないので、設計段階における形状の選択の幅が広がる。
【００３４】
（ｄ）請求項４項の発明によれば、閉塞面を布材で構成することで、軽くてカラフルな布が閉塞部材として使用可能であり、しかも合成樹脂でできている被係止部の弾力性を利用して係止条との係合を強固にすることが可能である。
【００３５】
（ｅ）請求項５項の発明によれば、布材と被係止部が別部材で構成されているから、分解取付が楽であり、布材だけの交換も可能である。
【００３７】
（ｆ）請求項６項の発明によれば、直線的に配置できないような個所でも対応可能な変化に富んだ閉鎖仕切体と成り得る。
【図面の簡単な説明】
【図１】本発明の取付方法によりポール間に閉塞部材が取り付けられた閉鎖仕切体の斜視図である。
【図２】ポールと横フレームの分解斜視図である。
【図３】ポールと横フレームを連結固定した状態の断面図である。
【図４】横フレームに閉塞部材を取付ける前の状態を示した説明図である。
【図５】横フレームに閉塞部材を取付けた後の状態を示した説明図である。
【図６】フレームを構築した後で閉塞部材を取付けるようにした従来の工程説明図である。
【符号の説明】
１                        ポール
１ａ                      溝部
１ｂ                      開口
１ｃ                      係止片
２                        床
３                        ベース体
４                        閉塞部材
４ａ                      袋とじ
５                        カバー部材
５ａ                      係止爪
６                        横フレーム
６ａ                      端部
６ｂ                      突起受容部
６ｂ’                    端部溝
６ｃ                      係止条
７                        クランプ部材
７ａ                      雌ねじ部
８                        ねじ
８ａ                      頭部
９                        止着部材
９ａ                      円筒状突起部
１０                      クロスクリップ（被係止部）
１０ａ                    指部
【図１】
0003854493.tif 000002
【図２】
0003854493.tif 000003
【図３】
0003854493.tif 000004
【図４】
0003854493.tif 000005
【図５】
0003854493.tif 000006
【図６】
0003854493.tif 000007